(57)【要約】【課題】同じ光源により、灯具の周囲を明るくし、且つ目的方向をより明るく照らすなどの複数の目的光を照射することができる照明器具を提供する。【解決手段】被取付部に取り付けられる照明器具１１であって、前記被取付部に取り付けられる器具本体２１と、光源部４１と、前記光源部４１に給電する電源部３１と、前記光源部４１を囲む周壁部６２ｄを有した透光性部材６２と、を有し、前記透光性部材６２は、前記周壁部６２ｄの一部に前記光源部４１からの光を配光制御する配光制御部６５を有し、前記配光制御部６５は、前面側と後面側の厚みが異なる肉厚部６５ａを有する。【選択図】図５
2016213098.tif 000002
【特許請求の範囲】
【請求項１】
被取付部に取り付けられる照明器具であって、
前記被取付部に取り付けられる器具本体と、
光源部と、
前記光源部に給電する電源部と、
前記光源部を囲む周壁部を有した透光性部材と、を有し、
前記透光性部材は、前記周壁部の一部に前記光源部からの光を配光制御する配光制御部を有し、
前記配光制御部は、前面側と後面側の厚みが異なる肉厚部を有する、照明器具。
【請求項２】
請求項１に記載の照明器具であって、
前記配光制御部は、前記透光性部材の他の部分よりも透過率が高い、照明器具。
【請求項３】
請求項１または請求項２に記載の照明器具であって、
前記肉厚部は、前面側の方が後面側よりも厚い、照明器具。
【請求項４】
請求項１から請求項３のいずれか一項に記載の照明器具であって、
前記配光制御部の表面に段形状を有する、照明器具。
【請求項５】
請求項１から請求項３のいずれか一項に記載の照明器具であって、
前記周壁部の表面に段形状を有する、照明器具。
【請求項６】
請求項１から請求項５のいずれか一項に記載の照明器具であって、
前記透光性部材の前面の少なくとも一部に前記光源部からの光を反射する反射部材を有する、照明器具。
【請求項７】
請求項１から請求項６のいずれか一項に記載の照明器具であって、
前記配光制御部は、前記周壁部の内面側に形成される、照明器具。
【請求項８】
請求項１から請求項７のいずれか一項に記載の照明器具であって、
前記光源部は、発光素子を有し、
前記発光素子を覆う拡散部材を有する、照明器具。
【請求項９】
請求項１から請求項８のいずれか一項に記載の照明器具であって、
前記光源部は、前記照明器具の中心から前記配光制御部側に偏心した位置に設けられる、照明器具。
【請求項１０】
請求項１から請求項９のいずれか一項に記載の照明器具であって、
前記光源部は、前記配光制御部側に向かうように傾けて前記器具本体に設けられる、照明器具。
【請求項１１】
請求項１から請求項１０のいずれか一項に記載の照明器具であって、
センサ部を有し、
前記センサ部は、前記配光制御部よりも取付面側に設けられる、照明器具。
【発明の詳細な説明】
【技術分野】
【０００１】
本発明は、照明器具に関する。
【背景技術】
【０００２】
従来から、特許文献１や特許文献２に記載された照明器具のようなブラケットライトが用いられている。
【０００３】
特許文献１では、上方には透光性のグローブで覆われた第１のランプを有し、下方には下面に投光開口を有する不透光性筒体で周囲を囲われた第２のランプを備えた壁面照明器具が開示されている。
【０００４】
特許文献２では、光源として上部ランプと下部ランプを備えた灯具部を有する照明器具が開示されている。上部ランプは、照明器具の周囲を全体的に照らし、下部ランプは、照明器具の略下方を照らすものである。
【０００５】
特許文献１や特許文献２の照明器具では、上下方向にそれぞれランプを設け、上部ランプからは灯具の周囲を明るくする目的の光が照射され、下部ランプからは下方側を部分的に集中して照らす目的の光が照射される。
【先行技術文献】
【特許文献】
【０００６】
【特許文献１】実開昭５５−１４１４０３号公報
【特許文献２】特開２００２−３１３５８７号公報
【発明の概要】
【発明が解決しようとする課題】
【０００７】
しかしながら、特許文献１や特許文献２の照明器具では、複数の目的の光を照射するために、目的ごとにそれぞれ別の光源を用いて複数の目的の光（以下、複数の目的光とする。）を照射していた。そのため、このような照明器具では、複数の目的光を照射するために多くの光源が必要となり、構造が複雑化、または大型化する傾向があった。
【０００８】
そこで、本発明は、上記課題に鑑みてなされたものであり、同じ光源から複数の目的光を照射することができる照明器具を提供することを目的とする。
【課題を解決するための手段】
【０００９】
本発明の解決しようとする課題は以上の如くであり、次にこの課題を解決するための手段を説明する。
【００１０】
すなわち、本願に開示する照明器具は、
被取付部に取り付けられる照明器具であって、
前記被取付部に取り付けられる器具本体と、
光源部と、
前記光源部に給電する電源部と、
前記光源部を囲む周壁部を有した透光性部材と、を有し、
前記透光性部材は、前記周壁部の一部に前記光源部からの光を配光制御する配光制御部を有し、
前記配光制御部は、前面側と後面側の厚みが異なる肉厚部を有するものである。
【００１１】
本願に開示する照明器具において、
前記配光制御部は、前記透光性部材の他の部分よりも透過率が高いことが好ましい。
【００１２】
本願に開示する照明器具において、
前記肉厚部は、前面側の方が後面側よりも厚いことが好ましい。
【００１３】
本願に開示する照明器具において、
前記配光制御部の表面に段形状を有することが好ましい。
【００１４】
本願に開示する照明器具において、
前記周壁部の表面に段形状を有することが好ましい。
【００１５】
本願に開示する照明器具において、
前記透光性部材の前面の少なくとも一部に前記光源部からの光を反射する反射部材を有することが好ましい。
【００１６】
本願に開示する照明器具において、
前記配光制御部は、前記周壁部の内面側に形成されることが好ましい。
【００１７】
本願に開示する照明器具において、
前記光源部は、発光素子を有し、
前記発光素子を覆う拡散部材を有することが好ましい。
【００１８】
本願に開示する照明器具において、
前記光源部は、前記照明器具の中心から前記配光制御部側に偏心した位置に設けられることが好ましい。
【００１９】
本願に開示する照明器具において、
前記光源部は、前記配光制御部側に向かうように傾けて前記器具本体に設けられることが好ましい。
【００２０】
本願に開示する照明器具において、
センサ部を有し、
前記センサ部は、前記配光制御部よりも取付面側に設けられることが好ましい。
【発明の効果】
【００２１】
本発明によれば、透光性部材の一部に配光制御部を設けることで、同じ光源で複数の目的光を照射することができる。
【図面の簡単な説明】
【００２２】
【図１】本発明の実施形態に係る照明器具を示す斜視図。
【図２】照明器具を示す側面図。
【図３】照明器具を示す平面図。
【図４】照明器具の取付面側を示す図。
【図５】図３におけるＡ−Ａ′線断面図。
【図６】照明器具の一部を切り欠いて内部を示す側面図。
【図７】カバー部の一部を破断して示した斜視図。
【図８】配光制御部による配光制御のシミュレーション結果を示す図。
【発明を実施するための形態】
【００２３】
本発明の実施形態に係る照明器具１１について、図１から図８を用いて説明する。本実施形態に係る照明器具１１は、ＬＥＤ素子４２を光源とする照明器具である。照明器具１１は、例えば、壁面（傾斜面も含む）等の被取付部に直接取り付けられるブラケットライトとして使用することが可能である。以下の説明では、照明器具１１の光を照射する側を照明器具１１の照射面側（前面側）とし、照明器具１１における壁面等の取付面に対向する側を照明器具１１の取付面側（後面側）として説明する。照明器具１１の照射面側とは、後述する器具本体２１の表面側とし、被取付部に直交して被取付部から離間する離間方向と被取付部に対して平行な方向である側面方向の両方を含む。また、照明器具１１の取付面側とは、器具本体２１の裏面側である。また、図４及び図５における上下方向を、照明器具１１の「上下方向」とし、図５における前後方向を、照明器具１１の「前後方向」として説明する。また、以下の説明において、前方から照明器具１１等を視た状態を平面視とする。前後方向に対して直交方向から照明器具１１等を視た状態を側面視とする。照明器具１１等の断面形状を視た状態を断面視とする。
図１は、照明器具１１の斜視図である。図２は、照明器具１１の側面図である。図３は、照明器具１１の平面図である。図４は、照明器具１１の取付面側（後面側）を示す図である。図５は、図３におけるＡ−Ａ′線断面図である。なお、図５では、要部を説明するため照明器具１１の一部を破断した断面状態を示している。図６は、照明器具１１の下側を示す側面図であり、照明器具１１の内部を説明するために一部を切り欠いて示している。図７は、カバー部材６１の一部を破断して示した斜視図である。図８は、配光制御部６５による配光制御のシミュレーション結果を示す。なお、図７、図８に示すカバー部材の濃淡は、形状を特定するものではない。
【００２４】
図１から図７に示すように、照明器具１１は、器具本体２１、電源部３１、光源部４１、電源保持部材３３、光源保持部材４４、拡散部材５１、カバー部６１及びセンサ部７１を主に備える。照明器具１１の外形は、平面視において略円形状であって、照明器具１１の高さ方向（図５の照明器具１１の前後方向）の寸法が、照明器具１１の径方向（図５の照明器具１１の前後方向に対して直交方向）の寸法よりも小さい略円柱形状である。
なお、照明器具１１の外形形状は、本実施形態に限定されるものではない。平面視において略円形状以外に、例えば、楕円形状、正方形状、長方形状や多角形状、またはそれらを組み合わせた形状にすることもできる。
【００２５】
器具本体２１は、平面視において略円形状であって、照射面側（前端）が開口された有底凹状の部材である。器具本体２１は、電源部３１、端子台３５、光源部４１、拡散部材５１、及びカバー部６１等を保持するものである。具体的には、器具本体２１は、電源部３１、端子台３５、光源部４１、電源保持部材３３、光源保持部材４４、拡散部材５１及び配線等を収容部２２に収容し、照射面側にカバー部６１を取り付けて保持する部材である。器具本体２１は、電源部３１、端子台３５、光源部４１、拡散部材５１、及びカバー部６１等を保持可能な耐久性を有する、アクリル樹脂、ＡＥＳ樹脂、ポリカーボネイト等の樹脂材料を用いて形成されている。器具本体２１は、平面視における外形形状が、カバー部６１の外形形状と略一致するように形成されている。本実施形態の器具本体２１は、有底凹状に形成されるが、このように、器具本体２１を有底凹状に形成することで、器具本体２１の靭性や剛性を上げることができる。
なお、器具本体２１は、機械的強度や耐久性が確保できる材料であれば、樹脂材料に限らず、アルミニウムなどの他の金属材料、もしくはそれらの組み合わせで形成することができる。
【００２６】
器具本体２１は、収容部２２、カバー取付部２４、円環段部２５、外壁部２６及びセンサ収容部２８を主に有している。器具本体２１は、パッキン２７を介して被取付部に取り付けられる。
【００２７】
収容部２２は、照射面側（前端）が開放された有底略円筒状の部分である。収容部２２は、電源部３１、端子台３５、電源保持部材３３、光源保持部材４４、配線等を収容して配置するための部分であり、内部にこれらを収容するための高さ及び幅が確保されている。収容部２２は、略円筒状の円筒部２２ａと、該円筒部２２ａの取付面側を閉塞する略円形状の底部２２ｂを有している。底部２２ｂには、図４、図５に示すように、底部２２ｂの中央部に配線を挿通するための貫通孔２２ｃ、該貫通孔２２ｃを中心にして対向して配置される器具取付部２２ｄ、２２ｅ、該器具取付部２２ｅの下側に水抜き用の孔として機能する貫通孔２２ｆが形成されている。器具取付部２２ｄ、２２ｅは、照明器具１１をネジ等の取付部材により壁面等の取付面にパッキン２７を介して取り付けるために開口して形成された貫通孔である。
【００２８】
カバー取付部２４は、カバー部６１が取り付けられる部分である。カバー取付部２４は、収容部２２の前端近傍の外周面に設けられている。カバー取付部２４には、カバー部６１を螺合させて取り付けるための凹凸部が形成されている。カバー取付部２４の後端周囲には、弾性を有するリング状のパッキン３０が取り付けられている。
【００２９】
円環段部２５は、カバー取付部２４の後端から径方向外側に突出して設けられる、平面視において、所定幅を有する略円環状の部分である。
【００３０】
外壁部２６は、円環段部２５の外周端から後方に延設される略円筒状の部分である。外壁部２６は、器具本体２１の外周においてセンサ収容部２８が連設される部位を除き、収容部２２の周囲を覆うように形成されている。本実施形態の器具本体２１は、円環段部２５を介して外壁部２６が収容部２２の周囲に形成されるが、このように、器具本体２１を形成することで、器具本体２１の靭性や剛性を上げることができる。
【００３１】
センサ収容部２８は、人感センサや光センサ等のセンサ部７１が収容されて取り付けられる部分である。センサ収容部２８は、外壁部２６の外周面から径方向外側（図５では下側）に突出して形成されている。センサ収容部２８は、器具本体２１の下部に配置され、取付面側及び下方が開放された略箱状の部分である。本実施形態では、センサ収容部２８に取り付けられるセンサ部７１として、人感センサ（赤外線センサ）が取り付けられる。
【００３２】
電源部３１は、光源部４１が有するＬＥＤ素子４２に給電を行って、ＬＥＤ素子４２を点灯させるための電源装置である。電源部３１は、略直方体形状の電源ケース３２内に、直方形状に加工されたプリント配線板上に複数の電子部品が実装された電源回路が収容されたものである。電源ケース３２は、電源回路の周囲を覆うものである。電源部３１は、断面矩形状の電源保持部材３３の前端面に取り付けられる。電源部３１が取り付けられた電源保持部材３３は、収容部２２に収容されるとともに底部２２ｂに立設される凸状のスペーサ２２ｇにネジ等の取付部材３４により取り付けられる。電源部３１は、外部商用電源から供給される交流電流を所定の直流電流に変換し、変換後の電流をＬＥＤ素子４２に供給するためのものである。電源部３１は、配線を介して端子台３５に電気的に接続されている。端子台３５は、電源保持部材３３の一方の側部に取り付けられる。例えば、照明器具１１を壁面等の取付面に取り付ける際、端子台３５から延びる配線を天井裏側の外部商用電源（図示せず）と接続することで、電源部３１は外部商用電源と電気的に接続される。電源部３１と光源部４１は配線によって電気的に接続されている。
【００３３】
電源保持部材３３は、断面ハット状部分を有する、電源部３１を器具本体２１に取り付けるための金属製の部材である。電源保持部材３３は、板状部材を断面ハット状に折り曲げることにより形成されている。電源保持部材３３は、前方に突出して形成される側面視Ｕ字状の電源保持部３３ａと、該電源保持部３３ａの後端から幅方向外側に延出される一対の平板状の延出部３３ｂ・３３ｂを有している。電源保持部３３ａには、前端面に電源部３１が配置され、一方の側面に端子台３５が配置される。延出部３３ｂ・３３ｂは、収容部２２の底部２２ｂに立設された延出部３３ｂ・３３ｂのそれぞれに対応する複数のスペーサ２２ｇの前端に取付部材３４により取り付けられる。電源保持部材３３の前方には、光源保持部材４４が取り付けられる。
【００３４】
光源部４１は、光を出射する部分である。光源部４１は、光源である発光素子を有するモジュール基板である。本実施形態においては、発光素子として、基板４３上にＬＥＤ（Ｌｉｇｈｔ  ｅｍｉｔｔｉｎｇ  ｄｉｏｄｅ）素子４２を備えたＣＯＢ型発光モジュールを使用している。具体的には、基板４３は、平板状に加工された基板面に、点光源である複数のＬＥＤを円形状の蛍光体で覆ったＬＥＤ素子４２を備えたＣＯＢ型発光モジュールである。基板４３は、光源保持部材４４の斜面部４７に当接して配置され、ネジやソケット等の取付部材により取り付けられる。基板４３は、配線によって電源部３１と電気的に接続されている。
なお、本実施形態では、光源としてＣＯＢ型発光モジュールを用いたが、光源の種類はＣＯＢ型発光モジュールに限らず、例えば表面実装型のＬＥＤ素子や有機ＥＬ素子（ＯＬＥＤ）などを用いても実現可能である。
また、基板４３は、熱伝導性シート（図示せず）や放熱グリスを介して斜面部４７に取り付けてもよく、これにより、より高い放熱性を得ることもできる。
また、本実施形態では、光源部４１は、配光制御部６５側に向かうように傾けて器具本体２１に設けられる。具体的には、図５に示すように、光源部４１が、配光制御部６５側に向かうように光源部４１の光軸Ｌを器具本体１１の中心軸Ｃに対して所定角度傾斜させて配置されている。光源部４１は、器具本体１１の中心軸Ｃ上には配置されず、該中心軸Ｃから下方に偏心した位置に配置されている。
【００３５】
光源保持部材４４は、光源部４１を器具本体２１の所定の位置に配置するための金属製の部材である。光源保持部材４４は、は、板状部材が折り曲げられることにより照射面側（前方）に向けて突出するように形成されている。光源保持部材４４は、長方形状の平坦部４５と、該平坦部４５の一端（上端）から取付面側（後方）に延出される板状の第１立設部４６と、該平坦部４５の他端（下端）から取付面側（後方）に向かって傾斜する板状の斜面部４７と、該斜面部４７の一端（下端）から取付面側（後方）に延出される板状の第２立設部４８を有している。斜面部４７は、光源部４１を取り付けるための略四角形状の平坦部分であり、照射面側の表面に光源部４１の基板４３が当接した状態で取付部材により取り付けられる。光源保持部材４４は、光源部４１で発生した熱を伝えて外部に放出する放熱機能も有するため、光源部４１が当接される斜面部４７は、光源部４１との接触面積が広くなるよう平坦に形成されている。
なお、本実施形態では、斜面部４７の平面視形状を略四角形状としているが、特に限定するものではなく、少なくとも基板４３の一部が取付可能であればよく、四角形状以外のその他の形状であってもよい。
【００３６】
第１立設部４６の後端には、光源保持部材４４の長手方向外側に延出される第１延出部４９が連設されている。該第１延出部４９は、ネジ等の取付部材により電源保持部材３３が有する電源保持部３３ａの長手方向の一端に取り付けられる。第２立設部４８の後端には、光源保持部材４４の長手方向内側に延出される第２延出部５０が連設されている。該第２延出部５０は、ネジ等の取付部材により電源保持部３３ａの長手方向の他端に取り付けられる。光源保持部材４４は、側面視において電源部３１の前方を覆うように形成される。平坦部４５の後方には、電源部３１が配置される。斜面部４７の後方には、空間Ｓが形成されている。すなわち、光源保持部材４４が電源保持部材３３に取り付けられた状態において、光源保持部材４４の斜面部４７と、電源保持部材３３の電源保持部３３ａの前端面と、電源部３１とにより区画される空間Ｓが形成されている（図５参照）。空間Ｓは、光源部４１で発生した熱を外部に放熱するための空間である。
【００３７】
拡散部材５１は、略半球状で、光源保持部材４４の斜面部４７に配置された光源部４１（ＬＥＤ素子４２）の照射面側（前方）を覆うように光源保持部材４４に取り付けられる。拡散部材５１は、光源部４１（ＬＥＤ素子４２）からの光を反射及び拡散させる透光性部材である。拡散部材５１は、例えば半透明な樹脂素材で形成される。拡散部材５１は、ＬＥＤ素子４２に埃などが付着することを防止するものである。拡散部材５１は、斜面部４７に設けられた拡散部材取付部８０に嵌合されて取り付けられる。
なお、本実施形態では、光源部４１の照射面側を覆う略半球状の拡散部材５１を用いたが、この形状に特に限定するものではない。例えば、略半球状の拡散部材５１の代わりに、外形がドーム状、円柱状等の拡散部材を使用することもできる。
【００３８】
カバー部６１は、拡散部材５１が取り付けられた光源部４１の照射面側（前方）を覆うように器具本体２１に取り付けられる。カバー部６１は、光源部４１からの光、すなわち、拡散部材５１を通過した光を反射及び拡散させつつ、外部へ配光する樹脂製の部材である。カバー部６１は、透光性部材６２、第１反射部材６３、第２反射部材６４、配光制御部６５、及び取付部６６を有している。
【００３９】
透光性部材６２は、外形が有底略円筒状であって、透光性を有する樹脂素材で形成されている。透光性部材６２は、平面視において円形状で断面視において照射面側（前方）に緩やかに膨らむ凸曲面形状に形成される第１前面部６２ａと、該第１前面部６２ａの外周端から後方に延出される円筒部６２ｂと、該円筒部６２ｂの後端から径方向外側に延出され、該後端から照射面側（前方）に向って皿状に開いた形状の第２前面部６２ｃと、該第２前面部６２ｃの外周端から後方に延出される略円筒状の周壁部６２ｄと、後述する配光制御部６５を有している。周壁部６２ｄは、光源部４１の周囲を囲むように配置される。透光性部材６２の後端には、周壁部６２ｄの後端から径方向内側に形成される断面略Ｌ字状であって、カバー取付部２４に取り付けるための取付部６６が連設されている。取付部６６の内周面には、カバー部６１を器具本体２１に螺合させて取り付けるための螺旋状のネジ山が形成されている。カバー部６１は、取付部６６を器具本体２１が有するカバー取付部２４に螺合させることで、器具本体２１に取り付け可能である。カバー部６１は、取付部６６を器具本体２１が有するカバー取付部２４に螺合させることで、器具本体２１に対してカバー部６１が位置決めされる。このようにカバー部６１を位置決めした場合、カバー部６１が有する配光制御部６５が光源部４１の直下に配置される。カバー部６１は、内部の清掃や器具本体２１の部品交換等のために、器具本体２１に対して着脱できる構造となっている。
また、本実施形態で挙げる透光性部材６２とは、光源部４１からの光の配光や照度、相関色温度などを制御する部材である。透光性部材６２としては、例えば、セード（透光カバー）、パネル、凸レンズや凹レンズ等の種々のレンズを広く含むものである。本実施形態の透光性部材６２を構成する第１前面部６２ａ、円筒部６２ｂ、第２前面部６２ｃ、周壁部６２ｄ及び配光制御部６５は、一体の部材として形成される。なお、本実施形態において「一体の部材」とは、分離独立した複数の部材が一つに結合したものではなく、成型段階で一つの部材として作られた部材である。ただし、本発明における「一体の部材」は、成型段階で一つの部材として作られた部材に限らず、分離独立した複数の部材が一つに結合した部材を含むように広義な意味を持つこととする。
なお、本実施形態における透光性部材６２の形状は一例であって、有底円筒状の他、ドーム状や有底角筒状などにすることもできる。
【００４０】
第１反射部材６３は、平面視において円形状で断面視において照射面側（前方）に緩やかに膨らむ凸曲面形状であって、透光性部材６２が有する第１前面部６２ａよりも直径寸法が大きい。第１反射部材６３は、第１前面部６２ａの照射面側の表面（前面）に当接させて、接着材等により取り付けられる。第１反射部材６３は、透光性部材６２の内部から外部へと光を通過させない遮光性を有する。また、第１反射部材６３の取付面側の表面（後面）は、白色もしくは乳白色等に着色された面である。第１反射部材６３の取付面側の表面（後面）は、光を反射する反射面となっている。
【００４１】
第２反射部材６４は、平面視において第２前面部６２ｃと略同じ形状であって、照射面側（前方）に向って皿状に開いた形状である。第２反射部材６４は、第２前面部６２ｃの照射面側の表面（前面）に当接させて、接着材等により取り付けられる。第２反射部材６４は、透光性部材６２の内部から外部へと光を通過させない遮光性を有する。また、第２反射部材６４の取付面側の表面（後面）は、白色もしくは乳白色等に着色された面である。第２反射部材６４の取付面側の表面（後面）は、光を反射する反射面となっている。
【００４２】
また、上述した第１反射部材６３及び第２反射部材６４は、後面側を白色に着色しているが、着色方法は特に限定するものではない。例えば、塗料を塗布したり、着色剤を部材中に添加したり、白色層を印刷やシール等で形成したりしてもよい。また、透光性部材６２は、光透過率の異なる複数の部材を組み合わせて形成することもできる。
なお、本実施形態では、第１反射部材６３や第２反射部材６４を透光性部材６２の前面部分に有する構成としているが、特に限定するものではない。例えば、照明器具の配光制御や意匠等に応じて、反射部材は、透光性部材の前面の少なくとも一部に有する構成であってもよい。
【００４３】
円筒部６２ｂは、透光性部材６２の内部から外部へと光を側面方向に透過させることができる。円筒部６２ｂから出射した光の一部は、第1反射部材６３や第２反射部材６４によって反射されて、照明器具１１の前方及び側方に照射される。
【００４４】
周壁部６２ｄは、透光性部材６２の内部から外部へと光を透過させることができる。本実施形態の周壁部６２ｄでは、配光制御部６５の内側面６５ｂを除き、内周面に微細な凹凸を形成したシボ加工（フロスト加工）を施している。このように、周壁部６２ｄの内周面にシボ加工を施すことで、配光制御部６５が、透光性部材６２の他の部分よりも光の透過率が高くなる。
なお、本実施形態では、シボ加工により光の透過率を制御しているが、特に限定するものではない。例えば、散乱剤混入などの光拡散処理を施して光の透過率を制御することもできる。
【００４５】
配光制御部６５は、周壁部６２ｄの一部（下部）に配置され、光源部４１からの光を配光制御する部分である。配光制御部６５は、透光性部材６２の内側の下部において、第２前面部６２ｃの内側面と周壁部６２ｄの内側面とにより形成される隅部を埋めるように形成される、断面視略傾斜形状の透光性の肉厚部分である。配光制御部６５は、前面側が後面側よりも厚くなるように形成された肉厚部６５ａと、該肉厚部６５ａの内側表面である内側面６５ｂを有している。配光制御部６５の内側面６５ｂは、光源４１からの光を受ける入射面である。内側面６５ｂは、断面視において複数の規則的な凹凸を有する段形状に形成されており、上方から見ると略弓形の面となる。内側面６５ｂに形成される凹凸は、前後方向に対して略直交する方向に沿って延設されている。配光制御部６５は、光源部４１からの光を肉厚部６５ａにより所定方向に屈折させることができる。また、内側面６５ｂに段形状を有することにより、光源部４１からの光はより屈折されて、配光制御部６５から照射させる範囲を広げることができる。配光制御部６５の一端側（前側）は、第２前面部６２ｃの径方向の中途部に連設されている。配光制御部の他端側（後側）は、周壁部６２ｄの前後方向の中途部に連設されている。配光制御部６５の内側面６５ｂは、拡散部材５１に覆われた光源部４１に対向して配置される。
なお、本実施形態では、配光制御部６５の内側面６５ｂに凹凸を有する形状としているが、特に限定するものではない。例えば、凹凸を有しない平坦な形状、凹曲面形状や凸曲面形状であってもよい。
また、本実施形態では、肉厚部６５ａの内側面６５ｂが、周壁部６２ｄの内側表面の一部を構成している。
【００４６】
センサ部７１は、人感センサや照度センサや、リモコン受信部等である。本実施形態のセンサ部７１は、人感センサである。人感センサは、人間等から放射される熱線（赤外線）の量の変化を検知するセンサである。センサ部７１には、主として人間等から放射される熱線を導入するレンズ群が設けられている。なお、センサ部７１は、赤外線センサに限らず、超音波センサ、電波センサなどを用いてもよい。センサ部７１は、電源部３１と電気的に接続される。
【００４７】
以上のように構成された照明器具１１では、透光性部材６２の一部に配光制御部６５を設けることで、例えば、照明器具１１を壁面に取り付けた場合に、光源部４１で照明器具１１の周囲を明るく照らす光と、床面を明るく照らす光の２つの目的光を照射することができる。具体的には、透光性部材６２が有する円筒部６２ｂは、透光性を有し、透光性部材６２の内部から外部へと光を透過させることができる。これにより、該円筒部６２ｂを通過した光は、第１反射部材６３の後面及び第２反射部材６４の前面により照明器具１１の側面方向に導光される。側面方向に導光された光の一部は、第２反射部材６４の前面に照射されて、照明器具１１を平面視した場合、第２反射部材６４の前面には、第１反射部材６３の周囲から光が均一に皆既日食のように広がる間接光のような光を照射することができる。さらに、透光性部材６２が有する周壁部６２ｄは、光源部４１の側面方向の光やカバー部６１内部を反射や散乱した光を透過し、照明器具１１の周囲に照射するができる。これにより、照明器具１１の周囲から光が照射され、照明器具１１の周囲の空間や取付面等を照らすことができる。さらに、光源部４１からの光を、配光制御部６５を構成するプリズム状の肉厚部６５ａと段形状の凹凸を有する内側面６５ｂとにより配光制御することで、広範囲に広がる目的光を照射することができる。以下に、本実施形態における具体的な効果を説明するために、配光制御のシミュレーション結果について説明する。
【００４８】
次に、配光制御部６５による配光制御のシミュレーションについて説明する。図８には、配光制御部の肉厚部の形状、配光制御部の内側面の凹凸形状を変化させて配光制御のシミュレーションを行った結果を示している。当該配光制御のシミュレーションでは、照明器具が設置される壁面における高さ位置を１．８〜２ｍ、壁面前方の床面領域を２．０ｍ四方して配光を検証した。配光制御部の形状Ａは、配光制御部の内側面をストレート面(フラット面)としたもの、形状Ｂは、配光制御部の内側面において凸状の屈曲部分を設けたもの、形状Ｃは、配光制御部の内側面が凹凸状であって凸部の角部に所定の丸みを有するもの、形状Ｄは、配光制御部の内側面が凹凸状であって凸部の角部に所定の丸みを有しないもの、である。これらの形状Ａ〜Ｄにおいて配光制御のシミュレーションを行った結果、いずれの形状も、照明器具の周囲を照らす光と、壁面から離れる方向に出射して床面を照らす光の、２つの目的光を照射できることが確認できた。形状Ｃ、Ｄにおいては、床面の前後方向及び左右方向に対してバランスよく広範囲に広がる光を照射できることが確認できた。
【００４９】
以上説明した本実施形態に係る照明器具１１によれば、透光性部材６２が、周壁部６２ｄの一部に１つの光源部４１からの光を配光制御する配光制御部６５を有する。配光制御部６５は、前面側が後面側よりも厚くなるように形成された肉厚部６５ａを有し、光源部４１からの光の入射面である内側面６５ｂが形成されている。これにより、光源部４１からの光から、照明器具１１の周囲を明るくする光と、配光制御部６５によって導かれて床面の広範囲を明るくする光の、２つの目的光を照射することができる。したがって、照明器具の小型化が可能となる。
また、本実施形態では１つの光源部４１から２つの目的光が照射できるような照明器具１１を示したが、これに限らず、３つ以上の目的光が照射できるように構成しても良い。たとえば、透光性部材６２に配光制御部６５を２つ以上設けて、それぞれの配光制御部６５によって目的方向に配光制御することもできる。また、本実施形態では、肉厚部６５ａは前面側が後面側よりも厚くなるように形成したが、これに限らず、後面側が厚くなるように形成しても良い。その場合、光源部４１からの光は、配光制御部６５によって後面側に導かれて取付面を明るく照らすこともできる。
【００５０】
また、本実施形態では、配光制御部６５が、透光性部材６２の他の部分よりも光の透過率が高い。これにより、配光制御部６５から配光制御された光の照度が向上する。
【００５１】
また、本実施形態では、配光制御部６５が、内側面６５ｂに段形状を有している。これにより、光源部４１からの光をよりバランスよく広範囲に広げることができ、広範囲を照らす光を照射することができる。また、透過率の高い配光制御部６５の場合、内側面６５ｂに段形状を有することで、発光素子のような指向性の強い光源からの直接光が屈折されて広範囲に広がるので、集光された輝度の高い光が視界に入りにくくなるためグレアレスとなる。また、配光制御部６５の表面に段形状を設けることで、段形状を有しない場合よりも配光制御部６５から照明器具１１の内部構造を見えにくくすることができるため、照明器具１１の意匠性を高めることができる。
本実施形態では、配光制御部６５の内側面６５ｂを段形状に設けたが、これに限らず、配光制御部６５の内側面６５ｂ以外の表面、もしくは、周壁部６２ｄの表面を段差状に設けることもできる。配光制御部６５の内側面６５ｂ以外の表面を段差状に設ける場合は、例えば、配光制御部６５を透光性部材６２とは別体で形成し、段差状の表面が内側面６５ｂとならないように、透光性部材６２の所望の位置に取り付けることもできる。
【００５２】
また、本実施形態では、透光性部材６２の前面側に光源部４１からの光を反射する反射部材である第１反射部材６３、第２反射部材６４を有している。これにより、光源部４１からの前方に向かう光が第１反射部材６３と第２反射部材６４によって反射を繰り返して照明器具１１の周囲、またはその一部は第２反射部材６４に照射される。人が照明器具１１の正面位置近傍に立ったときでも、照明器具１１の前面側においては、光源部４１からの前方に向かう強い光は視界に入りにくく、第２反射部材６４の前面に間接光のように広がる弱い光が視界に入る。そのため、グレアを抑えることができる。
【００５３】
また、本実施形態では、配光制御部６５が、周壁部６２ｄの内面側に形成されている。これにより、配光制御部６５が照明器具１１の外側に突出しない。したがって、配光制御部６５の出射面は、カバー部材６１から突出しない。カバー部材６１において、他の部分よりも光透過率の高い配光制御部６５を設けた場合、他の部分よりも配光制御部６５の出射面は眩しく感じる。周壁部６２ｄの内面側に配光制御部６５を形成することで、その出射面がカバー部材６１から突出していないので、視界に入りにくく、グレアが抑えられる。
【００５４】
また、本実施形態では、発光素子であるＬＥＤ素子４２を覆う拡散部材５１を有している。指向性の強い発光素子であるＬＥＤ素子４２を用いても該ＬＥＤ素子４２を覆うように拡散部材５１をさらに設けることによって、より光ムラを低減することができる。拡散部材５１は、ＬＥＤ素子４２の指向性を抑えて光を拡散し、拡散部材５１の表面全体が光るように制御する。
【００５５】
また、本実施形態では、光源部４１が、照明器具１１の中心から配光制御部６５側に偏心した位置に設けられる。すなわち、光源部４１を配光制御部６５寄りに設けられる。これにより、光源部４１が照明器具１１の中心にあるよりも、配光制御部６５に入射する光量が増えるため、配光制御部６５によって配光制御できる光量が増えるとともに、目的方向に配光制御しやすくなる。
【００５６】
また、本実施形態では、光源部４１が配光制御部６５側に傾斜するように器具本体２１に設けられる。これにより、光源部４１の光軸Ｌが配光制御部６５側に傾き、配光制御部６５に入射する光量が増えるため、配光制御部６５によって配光制御できる光量が増えるとともに、目的方向に配光制御しやすくなる。
【００５７】
また、本実施形態では、センサ部７１が、配光制御部６５よりも取付面側に設けられる。これにより、配光制御部６５がセンサ部７１とは反対方向に厚肉に形成されているため、光源部４１からの光がセンサ部７１に入りにくくなるため、センサ部７１のチャタリングを防止できる。
【００５８】
以上、本発明の実施形態について説明したが、本発明は上記実施形態に限定されるものではなく、様々な変更が可能である。例えば、照明器具の形状が平面視において略円形状や略正方形状以外の形状であってもよく、例えば長方形状、多角形状やその他の形状としてもよい。
【符号の説明】
【００５９】
１１    照明器具
２１    器具本体
３１    電源部
４１    光源部
５１    拡散部材
６１    カバー部
６２    透光性部材
６２ｄ  周壁部
６３    第１反射部材
６４    第２反射部材
６５    配光制御部
６５ｂ  内側面（入射面）
７１    センサ部
【図１】
2016213098.tif 000003
【図２】
2016213098.tif 000004
【図３】
2016213098.tif 000005
【図４】
2016213098.tif 000006
【図５】
2016213098.tif 000007
【図６】
2016213098.tif 000008
【図７】
2016213098.tif 000009
【図８】
2016213098.tif 000010